(57)【要約】
【課題】弾力性・耐久性・通気性の優れたクッション層を備えたランドセルを提供すること。
【解決手段】ランドセル１の肩ベルト３は、生地部３１・スポンジシート３２、クッション層３３、表皮層３６を備えて構成する。クッション層３３は、柱状又は筋違状に配置する多数の連結糸３４３の両端に表編地部３４１と裏編地部３４２とを配置して二重編地部構造とするクッション素材３４・３４を二重にして、その間に角柱状のスポンジ部材３５を挿入して構成する。表編地部３４１及び裏編地部３４２には通気部としての貫通孔３４４を形成する。
【選択図】図３                                                                               
0003099895.tif 000002
【実用新案登録請求の範囲】
【請求項１】
物品収納部、背あて部、一対の肩ベルト部を備えたランドセルであって、
　少なくとも肩ベルト又は背あて部には、合成繊維製で形成されて通気部を備える二重編地部と二重編地部間に柱状又は筋違状に連結する多数の合成繊維製連結糸とで構成されたクッション素材を有するクッション層が配設されていることを特徴とするランドセル。
【請求項２】
前記クッション層が、二重に配置した前記クッション素材間に、角柱状のスポンジ部材を配置して構成されていることを特徴とする請求項１記載のランドセル。
【請求項３】
前記肩ベルトが、生地部、スポンジ層、前記クッション層、表皮層で構成されていることを特徴とする請求項１又は２記載のランドセル。
【請求項４】
前記背あて部が、内張皮部材、芯材、嵩上げシート層、前記クッション層、表皮層で構成されていることを特徴とする請求項１又は２記載のランドセル。
【考案の詳細な説明】
【技術分野】
【０００１】
　本考案は、ランドセルに関し、さらに詳しくは、ランドセルの肩ベルト又は背あて部の構造に関する。
【背景技術】
【０００２】
　一般に、ランドセルにおいて、背負う子供たちに直接接する部位として、一対の肩ベルトと背あて部とがあり、これらの部位には背負う子供たちの感触を和らげるためにクッション層が設けられている。従来のランドセルでは、肩ベルトのクッション層には、スポンジ部材が配置されていたり、あるいは合成繊維を立体的に編状に絡み合わせた弾力性部材が使用されたりしていた（特許文献１）。この特許文献１によると、肩ベルトには、肩ベルトを内側で挿通する肩ベルト用環状帯体を着脱可能に配設するように構成するものであり、この環状帯体は、表側に伸縮性を有する生地部を配置し、裏側に合成繊維を立体的に編状に絡み合わせた弾力性部材を使用してクッション層として配置していた。そして、長期の使用でクッション層に弾力性がなくなってくると、環状帯体そのものを交換することとなっていた。
【特許文献１】特開２００２−２８２０３０公報（２頁、図２参照）
【考案の開示】
【考案が解決しようとする課題】
【０００３】
　しかし、特許文献１に示されているランドセルの肩ベルトは、クッション層の弾力性部材が長期間の使用で弾力性を失うものであり、弾力性を失うことによって、新たな弾力性部材を交換しなければならないものであることから、費用がかかるとともに交換作業が煩わしいものとなっていた。
【課題を解決するための手段】
【０００４】
　本考案は、上述の課題を解決するものであり、弾力性を損なうことなく耐久性を有してさらに通気性の優れたクッション材を挿入するランドセルを提供することを目的とするものであり、本考案に係るランドセルは、上記の目的を達成するために、以下のように構成するものである。すなわち、
　請求項１記載の考案では、物品収納部、背あて部、一対の肩ベルト部を備えたランドセルであって、
　少なくとも肩ベルト又は背あて部には、合成繊維製で形成されて通気部を備える二重編地部と二重編地部間に柱状又は筋違状に連結する多数の合成繊維製連結糸とで構成されたクッション素材を有するクッション層が配設されていることを特徴とするものである。
【０００５】
　請求項２記載の考案では、前記クッション層が、二重に配置した前記クッション素材間に、角柱状のスポンジ部材を配置して構成されていることを特徴としている。
【０００６】
　請求項３記載の考案では、前記肩ベルトが、生地部、スポンジ層、前記クッション層、表皮層で構成されていることを特徴としている。
【０００７】
　請求項４記載の考案では、前記背あて部が、内張皮部材、芯材、嵩上げシート層、前記クッション層、表皮層で構成されていることを特徴としている。
【考案の効果】
【０００８】
　本考案に係るランドセルでは、請求項１記載の考案によれば、肩ベルト又は背あて部にクッション層が設けられている。該クッション層には、表編地部と裏編地部との間を連結糸で連結して柱状構造又は筋違状構造の立体構造とするクッション素材が配置され、しかも、このクッション素材においては、表編地部及び裏編地部がリング状の通気部を形成して通気性を良好としている。この表編地部・裏編地部及び連結糸を、合成繊維、例えば、ポリエステル系のフィラメント糸で形成することによって、機械的強さを大きくして耐久性を向上することができるとともに反撥性を有していることから、表編地部又は裏編地部からの負荷が加わっても負荷を解除することによって元の位置に復帰でき、長期間の使用においても、弾力性を低下させることがない。しかも軽くて通気性も良好であることから、ほぼ毎日、ランドセルを背負う子供たちにとっては、快適に使用することができる。
【０００９】
　請求項２記載の考案によれば、請求項１の考案によるクッション層は、前述のクッション素材を二重にして、その間に角柱状のスポンジ層を配置していることから、クッション素材の反撥性に加えてスポンジ層の弾力性を加えることによって、さらに弾力性を向上させることができ、ランドセルの振動により肩又は背中に衝撃が加わっても、肩ベルトのクッション層でその衝撃を緩和あるいは防止することができる。
【００１０】
　請求項３記載の考案によれば、ランドセルの肩ベルトは、肩に接触する部位に肌触りのよい材料で生地部を形成し、ランドセルの振動による衝撃を緩和あるいは防止するために弾力性を有して耐久性があり、しかも通気性の優れた材料でスポンジ層及びクッション層を形成し、クッション層を保護するための最良の材料で表皮層を構成することによって、子供たちに対して快適に背負うことができるランドセルを提供できる。
【００１１】
　請求項４記載の考案によれば、ランドセルの背あて部は、背中に接触する部位に肌触りのよい材料で内張皮部材を形成し、内部に収納する物品を保護するために剛性・防水性を備えてしかも軽量な材料で芯材・嵩上げシート層を形成し、ランドセルの振動による衝撃を緩和あるいは防止するために弾力性を有して耐久性があり、しかも通気性の優れた材料でクッション層を形成し、クッション層を保護するための最良の材料で表皮層を構成することによって、子供たちに対して快適に背負うことができるランドセルを提供できる。
【考案を実施するための最良の形態】
【００１２】
　以下、本考案の一形態によるランドセルを図面に基づいて説明する。本考案のランドセルは柱構造又は筋違構造のクッション素材を使用してクッション層を構成するものである。
【実施例１】
【００１３】
　図１〜２に示すように、ランドセル１は、物品収納部２と一対の肩ベルト３・３を備えて構成されている。物品収納部２は、背あて部４と底壁部５と側壁部６及び後壁部７に囲まれて形成されるとともに、背あて部４の上部から物品収納部２の上方開口部を覆うように開閉可能な蓋部材８を備え、背あて部４の上部から底壁部５に向かって前述の一対の肩ベルト３・３が装着されている。
【００１４】
　肩ベルト３は、図３〜５に示すように、生地部３１とスポンジシート３２とクッション層３３と表皮層３６とからなる。生地部３１は、牛革又は人工皮革あるいはナイロン等で形成され、長尺板状に形成されている。表皮層３６は、牛革又は人工比革又はメッシュ等で形成され、クッション層３３を巻き込むようにクッション層３３の周りに配置するとともに生地部３１に連接して、生地部３１・クッション層３３とともに縫い付けられる。
【００１５】
　スポンジシート３２は、弾性のある多孔質合成樹脂で形成されるスポンジであり、生地部３１・表皮層３６と略同一の長尺形状に形成されている。
【００１６】
　クッション層３３は、二重に配置するクッション素材３４・３４の一方をスポンジシート３２に連接し、他方を表皮層３６に連接して二重のクッション素材３４・３４間に角柱状のスポンジ部材３５を配置して構成されている。クッション層３３は、特にランドセル１を背負う子供の肩に接触する部位に配置すればよいことから、生地部３１・表皮層３６よりその長さを短くして形成している。
【００１７】
　実施例で使用するクッション素材３４は、図６に示すように、例えば、ポリエステル系合成繊維あるいはその類似系繊維等のフィラメント糸で形成され、表編地部３４１と裏編地部３４２との二重編地部を備えるとともに、表編地部３４１と裏編地部３４２との間を、柱状あるいは筋違状に配置する連結糸３４３で連結されている。さらに表編地部３４１と裏編地部３４２にはリング状の貫通孔３４４が形成されている。このクッション素材３４は、二重編地部３４１・３４２間を連結糸３４３が柱状あるいは筋違状に配置されていることから、表編地部３４１あるいは裏編地部３４２からの負荷があると、二重編地部３４１・３４２間を狭めるように圧縮されることとなるが、連結糸３４３は合成繊維で反撥性を有していることから、負荷が解除することによって元の位置に復帰することとなりこれによって弾力性を備えることとなる。また、ポリエステル系のフィラメント糸は、機械的強さが大きいことから耐久性も良好で、さらに、表編地部３４１と裏編地部３４２に形成された貫通孔３４４は通気性を向上できることとなる。
【００１８】
　このクッション素材３４は、一般に商品名フュージョン（旭化成製）と呼ばれ、上述のように耐久性がよくまた通気性がよいことから、椅子のクッションや、シーツあるいは掛け布団等にも使用されている。
【００１９】
　このクッション素材３４は、勿論、ポリエステル系の合成繊維のフィラメント糸でなく他の合成繊維のフィラメント糸でもよい。例えば、ポリアミド、ポリアクリルニトリル等の合成繊維のフィラメント糸や再生繊維のフィラメント糸で形成したもので使用してもよい。
【００２０】
　このクッション素材３４を二重に配置して、その間に挿入される角柱状のスポンジ部材３５は、前述のスポンジシート３２と同様の材料で形成され、スポンジシート３２より厚みを厚くして形成されている。
【００２１】
　一方、背あて部４は、図７の断面図に示すように、内張皮部材４１、芯材４２、嵩上げシート層４３、クッション層４４、表皮層４７とからなり、表皮層４７がクッション層４４を巻き付けるようにするとともに、内張皮部材４１、芯材４２、嵩上げシート層４３、表皮層４５の周縁部を縫い付けることによって一体的に構成されている。
【００２２】
　内張皮部材４１は、物品収納部２内に収納する物品を保護するために芯材４２に内設するものであり、例えばポリプロピレンで形成されている。内張皮部材４１を内設する芯材４２は、剛性を有し、また防水性を備えて形成されるものであり、例えば、厚紙を防水性の被膜で覆うように形成するか又はポリプロピレン等のプラスティック製の材料で形成される。なお、内張皮部材４１は、芯材４２と一体的に形成してもよい。
【００２３】
　嵩上げシート層４３は、芯材４２を補強して厚みを大きくするとともに軽量であることが望ましく、例えば、発泡ウレタンで形成されたシート状のものを芯材４２の一方の面にほぼ全面に当たるように配置されている。
【００２４】
　そして、芯材４２と嵩上げシート層４３とで生地部を構成することとなるが、芯材４３の厚みを厚くして中央部を盛り上げるように形成すれば嵩上げシート層４３を除くこともできる。
【００２５】
　クッション層４４は、肩ベルト３のクッション層３３と同様に構成され、二重に配置するクッション素材４５・４５と、二重のクッション素材４５・４５間に挿入される角柱状のスポンジ部材４６とで構成されている。一方のクッション素材４５を嵩上げシート層４３に連接し、他方のクッション素材４５を表皮層３６に連接する。
【００２６】
　背あて部４で使用するクッション素材４５も肩ベルト３で使用するクッション素材３４と同様のものが使用され、図６に示すように、例えば、ポリエステル系合成繊維あるいはその類似系繊維等のフィラメント糸で形成され、表編地部４５１と裏編地部４５２との二重編地部を備えるとともに、表編地部４５１と裏編地部４５２との間を、柱状あるいは筋違状に配置する連結糸４５３で連結されている。さらに表編地部３４１と裏編地部３４２にはリング状の貫通孔４５４が形成されている。従って、クッション層４５によって弾力性を有する背あて部４が形成され、さらに、耐久性・通気性をも向上できることとなる。
【００２７】
　表皮層４７は、牛革又は人工比革あるいはメッシュ等で形成され、嵩上げシート層４３・クッション層４４を覆うとともに芯材４２の周縁部で縫い合わされることによって一体的に構成される。
【００２８】
　次に上記のように構成されたランドセル１のクッション層における作用について説明する。
【００２９】
　子供がランドセル１を背負って通学する際、物品収納部２には、教科書やノートあるいは筆記用具等が収納されていて、それらの重量によってランドセル１が子供の肩や背中を圧迫する。さらに、子供は走ったりすることが多く、そのため肩ベルト３や背あて部４ではさらに子供の肩や背中に押し付けられることとなり、肩ベルト３のスポンジシート３２やクッション層３３、あるいは背あて部４のクッション層４４が圧縮される。
【００３０】
　肩ベルト３のクッション層３３においては、二重に配置されたクッション素材３４・３４がお互いに接近する方向に移動してスポンジ部材３５を圧縮させる。同時に各クッション素材３４の表編地部３４１と裏編地部３４２とが接近する方向に圧縮され連結糸３４３が屈曲するように撓むこととなる。さらにスポンジシート３２も厚み方向に圧縮される。これによって、肩ベルト３にかかる負荷・衝撃は、スポンジシート３２とクッション層３３によって吸収されることから、弾力性を有することとなって、子供の肩にかかる負荷・衝撃を緩和することができる。
【００３１】
　背あて部４のクッション層４４においても同様に作用することから、子供の背中にかかる負荷・衝撃を緩和することができる。しかも、肩ベルト３のクッション素材３４、背あて部４のクッション素材４５は、いずれも表編地部３４１（４５１）、裏編地部３４２（４５２）に形成された通気部としての貫通孔３４４（４５４）が形成されていることから、通気性がよく、通気性が良好であることは、流入されている空気がクッションの作用も一部行うこととなって、弾力性を増してさらに負荷・衝撃を緩和することとなる。
【００３２】
　これらのクッション素材３４（４５）は、負荷・衝撃が解除すると、連結糸３４３（４５３）が復帰して表編地部３４１（４５１）と裏編地部３４２（４５２）とを元の位置に戻すこととなる。連結糸３４３（４５３）は、機械的強さが大きいポリエステル系繊維のフィラメント糸で形成されていることから、多数の連結糸３４３（４５３）を備えることにより、繰り返して屈曲しても摩耗が少なく強度を保持することができ、耐久性を向上することができる。
【００３３】
　上記のように、実施例のランドセル１は、ポリエステル系繊維のフィラメント糸で形成する連結糸３４３（４５３）を柱状又は筋違状に配置するとともに連結糸３４３（４５３）の両端で貫通孔３４４（４５４）を有する表編地部３４１（４５１）と裏編地部３４２（４５２）を配置するクッション素材３４（４５）を使用し、しかもクッション素材３４（４５）を二重に配置して、その間にスポンジ部材３５（４６）を介在することによって、弾力性を向上させて、子供の肩や背中にかかる負荷・衝撃を緩和することができる。
【００３４】
　しかも耐久性に優れていることから、このクッション素材３４（４５）をクッション層３３（４４）に配置すれば、取り替える必要がなく半永久的に使用できる。また通気性に優れていることから、夏の暑いときでも汗ばむことを防止することができ、快適にランドセルを背負うことができる。
【００３５】
　なお、本考案のランドセルは上記の形態に限定するものではなく、例えば、肩ベルト３において、スポンジシート３２を除いてもよく、また逆に、背あて部４においてスポンジシートをクッション層４４と嵩上げシート層４３との間に配置させてもよい。
【００３６】
　さらに、肩ベルト３のクッション層３３又は背あて部４のクッション層４４において、二重に配置したクッション素材３４（４５）を、いずれかのクッション素材３４（４５）を除いて１枚にしてもよく、また、スポンジ部材３５（４６）を除いて二重のクッション部材３４（４５）を重ねて配置させてもよい。
【図面の簡単な説明】
【００３７】
【図１】本考案の一形態によるランドセルを示す斜視図である。
【図２】図１におけるランドセルの縦断面図である。
【図３】図１における肩ベルトを示す分解斜視図である。
【図４】図１における肩ベルトの組付斜視図である。
【図５】図２におけるＶ−Ｖ断面図である。
【図６】図３におけるクッション素材を示す一部拡大斜視図である。
【図７】図２におけるVII−VII断面図である。
【符号の説明】
【００３８】
　１　ランドセル
　２　物品収納部
　３　肩ベルト
　４　背あて部
　３１　生地部
　３２　スポンジシート
　３３　クッション層
　３４　クッション素材
　３５　スポンジ部材
　３６　表皮層
　３４１　表編地部
　３４２　裏編地部
　３４３　連結糸
　３４４　貫通孔
　４１　内張皮部材
　４２　芯材
　４３　嵩上げシート層
　４４　クッション層
　４５　クッション素材
　４５１　表編地部
　４５２　裏編地部
　４５３　連結糸
　４５４　貫通孔
　４６　スポンジ部材
　４７　表皮層
【図１】
0003099895.tif 000003
【図２】
0003099895.tif 000004
【図３】
0003099895.tif 000005
【図４】
0003099895.tif 000006
【図５】
0003099895.tif 000007
【図６】
0003099895.tif 000008
【図７】
0003099895.tif 000009